(57)【要約】【課題】複数気筒に設けられた筒内圧センサの感度ばらつきを解消する。【解決手段】本発明に係る筒内圧センサの校正装置は、筒内圧センサにより所定の２点のタイミングの筒内圧を気筒毎に計測する手段（Ｓ１０３）と、計測された筒内圧の差圧を気筒毎に算出する手段（Ｓ１０４）と、所定の基準気筒の差圧及び基準気筒以外の気筒の差圧に基づいて基準気筒以外の気筒の筒内圧センサのセンサ感度補正係数を算出する手段（Ｓ１０８）とを備える。基準気筒の筒内圧センサを基準として、基準気筒以外の気筒の筒内圧センサのセンサ感度補正係数を算出し、気筒間でのセンサ感度ばらつきを解消できる。【選択図】図４
2008025404.tif 000002
【特許請求の範囲】
【請求項１】
多気筒内燃機関の少なくとも二つの気筒に設けられた筒内圧センサを校正する装置であって、
前記筒内圧センサにより、所定の２点のタイミングにおける筒内圧を気筒毎に計測する計測手段と、
該計測手段により計測された前記２点のタイミングの筒内圧の差圧を気筒毎に算出する差圧算出手段と、
所定の基準気筒の前記差圧と、前記基準気筒以外の気筒の前記差圧とに基づいて、前記基準気筒以外の気筒の筒内圧センサのセンサ感度補正係数を算出する非基準気筒センサ感度補正係数算出手段と
を備えたことを特徴とする筒内圧センサの校正装置。
【請求項２】
前記所定の２点のタイミングが、圧縮行程中の２点のタイミングであることを特徴とする請求項１記載の筒内圧センサの校正装置。
【請求項３】
前記所定の２点のタイミングのうち、一方が、排気行程中であって排気弁が開、吸気弁が閉であるタイミングであり、他方が、吸気行程中であって排気弁が閉、吸気弁が開であるタイミングであることを特徴とする請求項１記載の筒内圧センサの校正装置。
【請求項４】
前記計測手段による前記筒内圧の計測時にフュエルカットを実行するフュエルカット実行手段を備えることを特徴とする請求項３記載の筒内圧センサの校正装置。
【請求項５】
前記基準気筒以外の気筒の筒内圧センサのセンサ感度補正係数が、前記基準気筒の差圧を前記基準気筒以外の気筒の差圧で除することにより得られる値からなることを特徴とする請求項１乃至４いずれかに記載の筒内圧センサの校正装置。
【請求項６】
前記計測手段が、前記内燃機関の定常運転時に前記筒内圧の計測を複数回繰り返し実行し、前記差圧算出手段が、前記計測手段により計測された各回の筒内圧に基づいて各回の差圧を算出し、且つ、これら各回の差圧を平均化して最終的な前記差圧を算出することを特徴とする請求項１乃至５いずれかに記載の筒内圧センサの校正装置。
【請求項７】
排気空燃比を検出する空燃比センサと、前記基準気筒の筒内圧センサのセンサ感度補正係数を算出する基準気筒センサ感度補正係数算出手段とを備え、
前記計測手段が、圧縮行程中の所定の２点のタイミングにおいて前記筒内圧を計測し、
前記基準気筒センサ感度補正係数算出手段が、前記差圧算出手段によって算出された前記基準気筒の筒内圧の差圧と、前記空燃比センサによって検出された排気空燃比とに基づいて、前記基準気筒の筒内圧センサのセンサ感度補正係数を算出する
ことを特徴とする請求項１記載の筒内圧センサの校正装置。
【請求項８】
排気空燃比が所定の目標空燃比となるように予め設定された燃料噴射量を噴射する燃料噴射手段を備え、
前記基準気筒センサ感度補正係数算出手段が、前記燃料噴射手段により燃料噴射されたときに前記空燃比センサによって検出された排気空燃比を、前記目標空燃比で除して得られる値を、前記基準気筒の筒内圧センサのセンサ感度補正係数として算出する
ことを特徴とする請求項７記載の筒内圧センサの校正装置。
【請求項９】
前記基準気筒センサ感度補正係数算出手段によって算出された前記基準気筒のセンサ感度補正係数に基づき、前記基準気筒以外の気筒のセンサ感度補正係数を補正する補正手段を備えることを特徴とする請求項７又は８記載の筒内圧センサの校正装置。
【発明の詳細な説明】
【技術分野】
【０００１】
本発明は筒内圧センサの校正装置に係り、特に、多気筒内燃機関の少なくとも二つの気筒に設けられた筒内圧センサを校正する装置に関する。
【背景技術】
【０００２】
近年、筒内圧センサにより検出される筒内圧を利用して筒内の燃焼状態を検知し、その結果に基づいて点火時期等の各種制御量を制御する内燃機関の制御装置が開発されるに至っている。多気筒内燃機関の場合、各気筒に筒内圧センサが設けられ、検出された筒内圧に基づく制御が気筒毎に行われる。この筒内圧センサに関連する従来技術として、特許文献１には、燃焼圧力から算出した吸入空気量と吸気管圧力より算出した吸入空気量とを比較し、後者を基準として燃焼圧力センサの感度を算出し、この燃焼圧力センサの感度の算出値が所定範囲に入るか否かにより燃焼圧力センサの異常判断を行う技術が開示されている。
【０００３】
【特許文献１】実公平７−５５３０３号公報
【発明の開示】
【発明が解決しようとする課題】
【０００４】
ところで、筒内圧センサの感度には個体差や取付荷重等に起因するばらつきが存在する。よって、筒内圧センサにより計測された筒内圧にも気筒間のばらつきが存在する。一方、計測された筒内圧値は全気筒同一の制御ロジックによって処理されるため、かかる筒内圧値にばらつきが存在すると、演算結果としての各種制御量も必然的にばらつき、燃費やエミッションの向上に支障をきたす。
【０００５】
また、一般に筒内圧センサの測定レンジは０〜数ＭＰａというように比較的広範な範囲に亘る。しかしながら、近年では筒内圧センサの応用制御の一つとして筒内空気量を計測することが行われおり、この場合、筒内圧センサの測定レンジのうち数１００ｋＰａ以下の低圧部分が利用され、数ｋＰａオーダーの計測精度が要求される。よって、このような低圧部分での使用では筒内圧センサの感度ばらつきの影響が必然的に大きくなり、効果的な改善策が待ち望まれている。
【０００６】
本発明はこのような実情に鑑みてなされたもので、その目的は、筒内圧センサの感度ばらつきを効果的に解消することができる筒内圧センサの校正装置を提供することにある。
【課題を解決するための手段】
【０００７】
上記目的を達成するため、本発明の一形態に係る筒内圧センサの校正装置は、多気筒内燃機関の少なくとも二つの気筒に設けられた筒内圧センサを校正する装置であって、前記筒内圧センサにより、所定の２点のタイミングにおける筒内圧を気筒毎に計測する計測手段と、該計測手段により計測された前記２点のタイミングの筒内圧の差圧を気筒毎に算出する差圧算出手段と、所定の基準気筒の前記差圧と、前記基準気筒以外の気筒の前記差圧とに基づいて、前記基準気筒以外の気筒の筒内圧センサのセンサ感度補正係数を算出する非基準気筒センサ感度補正係数算出手段とを備えたことを特徴とする。
【０００８】
この本発明の一形態によれば、基準気筒の筒内圧センサを基準として、基準気筒以外の気筒の筒内圧センサのセンサ感度補正係数を算出することができる。即ち、機関運転状態が定常の場合、同一の２点のタイミング間での筒内圧の差圧は基準気筒と基準気筒以外の気筒とで同一となる。よってこのことを利用し、基準気筒の筒内圧センサで計測された筒内圧の差圧と、基準気筒以外の気筒の筒内圧センサで計測された筒内圧の差圧とに基づき、基準気筒以外の気筒の筒内圧センサのセンサ感度補正係数を算出することができる。この算出された基準気筒以外の気筒の筒内圧センサのセンサ感度補正係数を用いれば、基準気筒の筒内圧センサと基準気筒以外の気筒の筒内圧センサとのセンサ感度を等しくすることができ、これにより気筒間でのセンサ感度ばらつき、ひいてはこれに基づく筒内圧計測値のばらつきを解消することができる。
【０００９】
ここで、前記所定の２点のタイミングが、圧縮行程中の２点のタイミングであるのが好ましい。こうすることで２点のタイミング間の差圧を大きくすることができ、算出精度を向上できる。
【００１０】
或いは、前記所定の２点のタイミングのうち、一方が、排気行程中であって排気弁が開、吸気弁が閉であるタイミングであり、他方が、吸気行程中であって排気弁が閉、吸気弁が開であるタイミングであるのも好ましい。こうすることで、寸法公差等に起因する製造上のばらつきの影響を解消することができ、センサ感度補正係数が高精度で算出可能となる。
【００１１】
この場合、前記計測手段による前記筒内圧の計測時にフュエルカットを実行するフュエルカット実行手段を備えるのも好ましい。フュエルカットの実行により差圧を増大することができるからである。
【００１２】
好ましくは、前記基準気筒以外の気筒の筒内圧センサのセンサ感度補正係数が、前記基準気筒の差圧を前記基準気筒以外の気筒の差圧で除することにより得られる値からなる。
【００１３】
また好ましくは、前記計測手段が、前記内燃機関の定常運転時に前記筒内圧の計測を複数回繰り返し実行し、前記差圧算出手段が、前記計測手段により計測された各回の筒内圧に基づいて各回の差圧を算出し、且つ、これら各回の差圧を平均化して最終的な前記差圧を算出する。このような平均化処理を行うことにより算出精度を向上することが可能となる。
【００１４】
また、排気空燃比を検出する空燃比センサと、前記基準気筒の筒内圧センサのセンサ感度補正係数を算出する基準気筒センサ感度補正係数算出手段とを備え、前記計測手段が、圧縮行程中の所定の２点のタイミングにおいて前記筒内圧を計測し、前記基準気筒センサ感度補正係数算出手段が、前記差圧算出手段によって算出された前記基準気筒の筒内圧の差圧と、前記空燃比センサによって検出された排気空燃比とに基づいて、前記基準気筒の筒内圧センサのセンサ感度補正係数を算出するのが好ましい。
【００１５】
即ち、内燃機関の固体間でも基準気筒の筒内圧センサのセンサ感度にばらつきがあるが、この好ましい形態は、そのばらつきを無くすような基準気筒の筒内圧センサのセンサ感度補正係数の算出に有効である。そのばらつきを無くせれば、別々の内燃機関で基準気筒の筒内圧センサのセンサ感度を等しくすることができ、同一の制御ロジックや制御データを共用して別々のエンジンを精度良く制御できるようになる。
【００１６】
この場合、排気空燃比が所定の目標空燃比となるように予め設定された燃料噴射量を噴射する燃料噴射手段を備え、前記基準気筒センサ感度補正係数算出手段が、前記燃料噴射手段により燃料噴射されたときに前記空燃比センサによって検出された排気空燃比を、前記目標空燃比で除して得られる値を、前記基準気筒の筒内圧センサのセンサ感度補正係数として算出するのが好ましい。
【００１７】
さらに、前記基準気筒センサ感度補正係数算出手段によって算出された前記基準気筒のセンサ感度補正係数に基づき、前記基準気筒以外の気筒のセンサ感度補正係数を補正する補正手段を備えるのが好ましい。これにより、別々の内燃機関の全ての筒内圧センサのセンサ感度を等しくすることができ、気筒間及びエンジン固体間でのセンサ感度ばらつきを解消できる。
【発明の効果】
【００１８】
本発明によれば、筒内圧センサの感度ばらつきを効果的に解消することができるという、優れた効果が発揮される。
【発明を実施するための最良の形態】
【００１９】
以下、本発明を実施するための最良の形態を添付図面に基づき説明する。
【００２０】
図１は、本発明に係る筒内圧センサの校正装置を含む内燃機関の制御装置を概略的に示している。この制御装置は、一般的な従来装置と異なり、筒内圧センサにより検出される筒内圧に基づいて各種制御量を制御する。即ち、従来装置では、エンジンの各運転状態について、最適と思われる制御量を予め実験等により求めてマップ化しておき、実際のエンジンの運転時に各マップ値を当てはめてエンジンの制御を行うマップ制御が一般的であった。これに対し、本実施形態の制御装置では、エンジン運転時における筒内の燃焼状態を筒内圧センサにより直接的に検出し、この検出された燃焼状態を、予め定められた最適な燃焼状態に合わせ込むように各種制御量を制御する。この新たな手法によれば、従来多大な時間と労力とが費やされていた各種マップの作成、即ち適合という作業を大幅に簡略化することができ、開発期間の大幅な短縮等を図れる利点がある。また、各部の個体差等に起因する気筒間ばらつきをなくし、各気筒で個別に最適な燃焼状態を得られるという利点がある。制御される制御量としては、燃焼開始時期（火花点火式エンジンの場合は点火時期、圧縮着火式エンジンの場合は燃料噴射時期）、燃料噴射量、燃料噴射時期（火花点火式エンジンの場合）等が代表的である。
【００２１】
図示されるように、内燃機関１は、シリンダブロック２に形成された燃焼室３の内部で燃料および空気の混合気を燃焼させ、燃焼室３内でピストン４を往復移動させることにより動力を発生する。内燃機関１は多気筒エンジンとして構成され（但し、１気筒のみ図示）、本実施形態の場合４気筒エンジンとして構成される。本実施形態の内燃機関１は火花点火式内燃機関、より具体的にはガソリンエンジンである。
【００２２】
内燃機関１のシリンダヘッドには、吸気ポートを開閉する吸気弁Ｖｉと、排気ポートを開閉する排気弁Ｖｅとが気筒ごとに配設されている。各吸気弁Ｖｉおよび各排気弁Ｖｅは図示しないカムシャフトによって開閉させられる。少なくとも吸気側のカムシャフトは、図示しない可変バルブタイミング機構（ＶＶＴ）によってクランク軸との位相差が可変とされており、よって少なくとも吸気弁のバルブタイミングが可変とされている。
【００２３】
各気筒の吸気ポートは気筒毎の枝管を介して吸気集合室であるサージタンク８に接続されている。サージタンク８の上流側には吸気集合通路をなす吸気管Ｌ１が接続されており、吸気管Ｌ１の上流端にはエアクリーナ９が設けられている。そして吸気管Ｌ１には、上流側から順に、吸入空気量を検出するためのエアフローメータ５と、スロットルバルブ（本実施形態では電子制御式）１０とが組み込まれている。一方、各気筒の排気ポートは気筒毎の枝管を介して排気集合通路をなす排気管６に接続されており、排気管６には、三元触媒を含む前段触媒装置１１ａおよびＮＯｘ吸蔵還元触媒を含む後段触媒装置１１ｂが取り付けられている。前段触媒装置１１ａの上流側の排気管６に、排気ガスの空燃比を検出するための空燃比センサ１３が設置されている。
【００２４】
シリンダヘッドの頂部には、燃焼室３内の混合気に点火するための点火プラグ７が取り付けられている。更に、内燃機関１は、気筒毎にインジェクタ（燃料噴射弁）１２を有し、インジェクタ１２は、対応する燃焼室３内に臨むようにシリンダヘッドに配設されている。また、内燃機関１の各ピストン４は、いわゆる深皿頂面型に構成されており、その上面には、凹部４ａが形成されている。そして、内燃機関１では、各燃焼室３内に空気を吸入させた状態で、各インジェクタ１２から各燃焼室３内のピストン４の凹部４ａに向けて燃料が直接噴射される。これにより、内燃機関１では、点火プラグ７の近傍に、燃料と空気との混合気の層が周囲の空気層と分離された状態で形成（成層化）されるので、全体として極めて希薄な混合気を用いて安定した成層燃焼を実行することが可能となる。
【００２５】
上述の点火プラグ７、スロットルバルブ１０及びインジェクタ１２等は、制御手段としての電子制御ユニット（以下ＥＣＵと称す）２０に電気的に接続されている。ＥＣＵ２０は、何れも図示されないＣＰＵ、ＲＯＭ、ＲＡＭ、入出力ポート、および記憶装置等を含むものである。ＥＣＵ２０には、図示されるように、前述のエアフローメータ５、空燃比センサ１３、内燃機関１のクランク角を検出するクランク角センサ１４、アクセル開度を検出するアクセル開度センサ７、及びその他の各種センサが図示されないＡ／Ｄ変換器等を介して電気的に接続されている。ＥＣＵ２０は、各種センサの検出値等に基づいて、所望の出力が得られるように、点火プラグ７、スロットルバルブ１０、インジェクタ１２等を制御する。
【００２６】
また、内燃機関１は、半導体素子、圧電素子あるいは光ファイバ検出素子等を含む筒内圧センサ１５を各気筒に有している。各筒内圧センサ１５は、対応する燃焼室３内に受圧面が臨むようにシリンダヘッドに配設されており、図示されないＡ／Ｄ変換器等を介してＥＣＵ２０に電気的に接続されている。各筒内圧センサ１５は、対応する燃焼室３における筒内圧（相対圧）に比例した電圧信号をＥＣＵ２０に与える。更に、内燃機関１は、吸気圧を絶対圧として検出する吸気圧センサ１６を有している。吸気圧センサ１６は、サージタンク８に取り付けられ、図示されないＡ／Ｄ変換器等を介してＥＣＵ２０に電気的に接続されており、サージタンク８内の圧力に比例した電圧信号をＥＣＵ２０に与える。各筒内圧センサ１５および吸気圧センサ１６の検出値は、微小時間おきにＥＣＵ２０に順次与えられ、ＥＣＵ２０の所定の記憶領域（バッファ）に所定量ずつ格納保持される。
【００２７】
次に、筒内圧センサの校正について説明する。
【００２８】
本実施形態の筒内圧センサの校正装置によれば、以下のステップ１〜３を経て全気筒の筒内圧センサが校正される。
【００２９】
ステップ１：所定の基準気筒の筒内圧センサを基準として、基準気筒以外の気筒の筒内圧センサのセンサ感度補正係数を算出・決定する。なお便宜上、基準気筒の筒内圧センサを「基準気筒センサ」、基準気筒以外の気筒を「非基準気筒」、基準気筒以外の気筒の筒内圧センサを「非基準気筒センサ」と適宜称する。このステップ１により、基準気筒センサと非基準気筒センサとのセンサ感度が等しくされ、気筒間でのセンサ感度ばらつきひいてはこれに基づく筒内圧計測値のばらつきが解消される。基準気筒は任意に設定できるが、本実施形態では１番気筒に設定される。本実施形態の４気筒エンジンの点火順序は１番気筒→３番気筒→４番気筒→２番気筒である。
【００３０】
ステップ２：基準気筒の筒内圧センサのセンサ感度補正係数を算出・決定する。エンジンの固体間でも基準気筒の筒内圧センサのセンサ感度にばらつきがあることから、このばらつきを無くすように基準気筒センサのセンサ感度補正係数を算出・決定する。このステップ２により、エンジン固体間でのセンサ感度ばらつきひいてはこれに基づく筒内圧計測値ばらつきの抑制に有利となる。また、同一の制御ロジックや制御データを共用して別々のエンジンを制御した場合に所望の性能を個々のエンジンで得るのに有利となる。
【００３１】
ステップ３：ステップ２で算出・決定された基準気筒の筒内圧センサのセンサ感度補正係数に基づき、基準気筒以外の気筒の筒内圧センサのセンサ感度補正係数を補正する。このステップ３により、別々のエンジンの各気筒の筒内圧センサのセンサ感度を等しくすることができ、気筒間及びエンジン固体間でのセンサ感度ばらつきひいてはこれに基づく筒内圧計測値のばらつきを解消できる。
【００３２】
ここで、筒内圧センサのセンサ感度及びその補正係数について説明する。図２は筒内圧センサの出力特性を示し、横軸が出力電圧Ｅ（Ｖ）、縦軸が入力としての筒内圧Ｐ（ＭＰａ）を示す。図示されるように、筒内圧Ｐと出力電圧Ｅとは比例関係にあり、これらの関係はΔＰ＝ｋ・Ｇ・ΔＥで表される。Ｇは、出力電圧Ｅを筒内圧Ｐに変換するための変換係数即ち固有センサ感度であり、筒内圧センサが本来的に有する固有の一定値である。即ち、筒内圧センサの出力特性を言うとき一般的にはΔＰ＝Ｇ・ΔＥ±α（％）と表され、α（％）（通常は２〜３％の値である）の製造誤差を含むのが通常である。しかしながら、前述のように高精度の筒内圧計測を行おうとするとき、特に筒内圧センサの測定レンジのうち低圧部分を高精度で計測しようとするとき、その製造誤差が計測精度に大きく影響するようになる。よって、その製造誤差をなくすようにセンサ感度Ｇを補正するのが補正係数ｋである。ここで筒内圧センサは圧力変化量の計測を主目的とするものである。従って筒内圧センサの出力特性も圧力変化量と出力電圧変化量との関係で規定されている。
【００３３】
図２において、製造誤差が０％である中間品としての筒内圧センサの出力特性がIで示される。この場合、筒内圧変化量ΔＰに対し出力電圧変化量ΔＥとなり、センサ補正係数ｋ＝１．０となる。しかしながら、IIで示される筒内圧センサの場合、筒内圧変化量ΔＰに対し出力電圧変化量ΔＥ＋ｅ１となっており、中間品より大きい出力電圧変化量が得られている。両者のセンサ感度を等しくしようとした場合、出力電圧変化量ΔＥ＋ｅ１を筒内圧変化量ΔＰに対応づけるため、１．０より小さいセンサ補正係数ｋを設定しなければならない。具体的にはｋ＝ΔＥ／（ΔＥ＋ｅ１）としなければならない。逆に、IIIで示される筒内圧センサの場合、筒内圧変化量ΔＰに対し出力電圧変化量ΔＥ−ｅ２となっており、中間品より小さい出力電圧変化量が得られている。この筒内圧センサのセンサ感度を中間品と揃えようとした場合、出力電圧変化量ΔＥ−ｅ２を筒内圧変化量ΔＰに対応づけるため、１．０より大きいセンサ補正係数ｋを設定しなければならない。具体的にはｋ＝ΔＥ／（ΔＥ−ｅ２）としなければならない。
【００３４】
［ステップ１：非基準気筒センサのセンサ感度補正係数の算出］
次に、前記ステップ１に関する非基準気筒センサのセンサ感度補正係数の算出について説明する。
【００３５】
まずこの算出の第１の態様を説明する。この第１の態様は、概していうと、圧縮行程中の２点のタイミングにおける筒内圧を気筒毎に計測し、これら２点のタイミングの筒内圧の差圧が全気筒で等しいと仮定して、基準気筒の差圧と非基準気筒の差圧とに基づいて非基準気筒センサのセンサ感度補正係数を算出する、というものである。
【００３６】
図３にはある特定気筒のクランク角θに対する筒内圧（実線）、吸気圧（一点鎖線）及び排気圧（破線）の変化が示されている。なおクランク角θ＝０°が圧縮上死点である。見られるように、筒内圧は圧縮行程（−１８０°〜０°）において上昇し、圧縮上死点付近でピークを迎える。本態様では、図中Ｐ１，Ｐ２で示されるように、圧縮行程中の２点のタイミングにおいて筒内圧センサにより筒内圧が計測される。この２点のタイミングは、計測される筒内圧の間にできるだけ大きな差圧が生じるようなタイミングとされ、且つ、後のタイミングについては点火時期の前とされる。よって、前のタイミングは、筒内圧が上昇開始する時期付近又はその以前とされ、後のタイミングは点火時期の直前とされるのが好ましい。
【００３７】
さて、エンジンが定常運転している状態で、２点のタイミングにおける筒内圧Ｐ１（ｉ）、Ｐ２（ｉ）が気筒毎に計測される。ここでｉは気筒番号でｉ＝１，２，３，４である。基準気筒についてはｉ＝ｉｘ＝１とし、非基準気筒についてはｉ＝ｉｙ＝２，３，４とする。Ｐ１（ｉ）、Ｐ２（ｉ）は、センサ出力電圧との関係では次のように表される（図２参照）。  
Ｐ１（ｉ）＝ｋ（ｉ）・Ｇ・Ｅ１（ｉ）
Ｐ２（ｉ）＝ｋ（ｉ）・Ｇ・Ｅ２（ｉ）
・・・（２）
ｋ（ｉ）はｉ番気筒のセンサ感度補正係数である。ここでは基準気筒のセンサ感度補正係数ｋ（ｉｘ）を初期値１．０とする。
【００３８】
２点のタイミング間における各気筒の筒内圧の差圧Ｐｓｕｂ（ｉ）は
Ｐｓｕｂ（ｉ）＝Ｐ２（ｉ）−Ｐ１（ｉ）
＝ｋ（ｉ）・Ｇ・（Ｅ２（ｉ）−Ｅ１（ｉ））・・・（３）
で表される。ここで、非基準気筒の差圧Ｐｓｕｂ（ｉｙ）は基準気筒の差圧Ｐｓｕｂ（ｉｘ）に等しいとみなせるから、次式が成立する。  
ｋ（ｉｙ）・Ｐｓｕｂ（ｉｙ）＝Ｐｓｕｂ（ｉｘ）・・・（４）
【００３９】
従って、非基準気筒のセンサ感度補正係数ｋ（ｉｙ）は次式（５）に基づいて算出される。  
ｋ（ｉｙ）＝Ｐｓｕｂ（ｉｘ）／Ｐｓｕｂ（ｉｙ）・・・（５）
【００４０】
こうして算出された非基準気筒のセンサ感度補正係数ｋ（ｉｙ）は、既存の値（例えば初期値１．０）と置き換えられる。
【００４１】
以上の説明で理解されるように、この第１の態様によれば、非基準気筒のセンサ感度（ｋ（ｉｙ）・Ｇ）を基準気筒のセンサ感度（ｋ（ｉｘ）・Ｇ）と等しくすることができ、筒内圧センサの気筒間感度ばらつきをなくすことができる。そして、内燃機関の制御において、このように算出されたセンサ感度補正係数ｋ（ｉｙ）を非基準気筒の筒内圧センサに関して用いることにより、筒内圧計測値の気筒間ばらつきをなくし、精度の高い制御を実現することが可能になる。
【００４２】
次に、ここで述べた第１の態様のより具体的な算出処理を図４のフローチャートに基づいて説明する。図示される処理はＥＣＵ２０により実行されるもので、ここでは主に精度向上や信頼性確保等の観点から平均化処理が追加されている。この平均化処理によりセンサノイズの影響を少なくできるなどの利点が奏される。
【００４３】
まずステップＳ１０１では、処理サイクル数をカウントするカウンタのカウント値ｊが初期値１にセットされる。次にステップＳ１０２では、内燃機関の運転状態が定常運転状態か否かが判断される。定常運転状態とは、エンジン回転速度及びアクセル開度の変動幅が所定値以内にあるときをいい、例えばアイドル運転状態である。ＥＣＵ２０は、クランク角センサ１４の検出値に基づいて算出するエンジン回転速度ＮＥが所定のアイドル回転速度ＮＥｉを中心に所定回転速度α以内（例えば７００±５０ｒｐｍ）にあり、且つアクセル開度センサ７によって検出されるアクセル開度が全閉であるとき、定常運転状態であると判断する。
【００４４】
定常運転状態はアイドル以外の運転状態であってもよい。例えば、吸気脈動が小さく筒内空気量が多い中回転高負荷での定常運転状態であるのも好ましい。吸気脈動が小さい方が筒内圧の変動が少なく、筒内圧計測値がぶれないで済むからであり、また、筒内空気量が多い方が２点間の差圧が大きくなり、誤差が少なくなるからである。このような定常運転状態は、例えば車両の場合、高速道路を登坂走行しているような場合に実現可能である。また、好ましくは、吸排気弁がオーバーラップしないこと、或いはそうなるように可変バルブタイミング機構が制御されていることを条件に含む。これを含めると排気ガスの吹き返しを無くし、各気筒の筒内空気量ひいては差圧を定常に保持することができるからである。
【００４５】
ステップＳ１０２で定常運転状態でないと判断された場合、ステップＳ１０１に戻る。他方、ステップＳ１０２で定常運転状態であると判断された場合、ステップＳ１０３において２点のタイミングの筒内圧Ｐ１（ｉ，ｊ）、Ｐ２（ｉ，ｊ）を筒内圧センサ１５により計測する。この計測は点火気筒順に行われ、全気筒の計測が終わるとステップＳ１０３が終了する。これら筒内圧Ｐ１（ｉ，ｊ）、Ｐ２（ｉ，ｊ）は記憶装置（バッファ）に一時的に記憶される。
【００４６】
次いで、ステップＳ１０４において、これら筒内圧Ｐ１（ｉ，ｊ）、Ｐ２（ｉ，ｊ）に基づき、差圧Ｐｓｕｂ（ｉ，ｊ）が次式により算出される。  
Ｐｓｕｂ（ｉ，ｊ）＝Ｐ２（ｉ，ｊ）−Ｐ１（ｉ，ｊ）・・・（６）
【００４７】
こうして得られた今回サイクルの差圧Ｐｓｕｂ（ｉ，ｊ）は記憶装置（バッファ）に一時的に記憶される。なお差圧Ｐｓｕｂ（ｉ，ｊ）を記憶装置にサイクル毎に順次記憶していく様子を図５に示す。
【００４８】
この後、ステップＳ１０５においてカウンタのカウント値ｊが１だけカウントアップされ、ステップＳ１０６ではこのカウント値ｊが所定値Ｎ（例えば１２８）と比較される。カウント値ｊが所定値Ｎを超えていなければステップＳ１０２に戻ってステップＳ１０２〜Ｓ１０５が繰り返し実行される。なお、この反復処理の最中でエンジンが定常運転状態でなくなったときは処理は中止され（Ｓ１０２：ＮＯ）、処理はＳ１０１からやり直しとなる。また、反復処理の途中で得られた差圧Ｐｓｕｂ（ｉ，ｊ）が初回の差圧Ｐｓｕｂ（ｉ，１）に対し所定値以上乖離したとき、差圧変動が大きすぎるとみなして処理を中止してもよい。
【００４９】
カウント値ｊが所定値Ｎを超えた場合、図５に示すように、ＥＣＵ２０の記憶装置には各気筒Ｎ個ずつの差圧データが格納されることになる。そしてステップＳ１０７が実行され、これら各気筒Ｎ個ずつの差圧データに基づき、各気筒の平均差圧Ｐｓｕｂａｖ（ｉ）が次式により算出される。  
Ｐｓｕｂａｖ（ｉ）＝ΣＰｓｕｂ（ｉ，ｊ）／Ｎ・・・（７）
【００５０】
そして次に、ステップＳ１０８において、各気筒の平均差圧Ｐｓｕｂａｖ（ｉ）に基づき、非基準気筒のセンサ感度補正係数ｋ（ｉｙ）が次式（８）により算出される。  
ｋ（ｉｙ）＝Ｐｓｕｂａｖ（ｉｘ）／Ｐｓｕｂａｖ（ｉｙ）・・・（８）
【００５１】
こうして算出された非基準気筒のセンサ感度補正係数ｋ（ｉｙ）は、既存の値（例えば初期値１．０）と置き換えられ、以降の筒内圧計測に用いられる。
【００５２】
次に、非基準気筒センサのセンサ感度補正係数算出の第２の態様を説明する。
【００５３】
前記第１の態様では、２点のタイミングの筒内圧の差圧が全気筒で等しいという仮定の下で処理が行われている。即ち、エンジン運転状態が定常である限り、筒内には全気筒同一の空気量が流入し、同一タイミングで筒内圧を計測する限り全気筒の筒内圧の差圧は等しいという前提がある。しかしながら、寸法公差等に起因する製造上のばらつきが気筒間に存在し、例えば同一タイミングでも筒内容積が異なるなどの理由で筒内空気量が等しくならない場合がある。こうなると、同一の２点のタイミング間における筒内圧差圧は気筒間で異なり、最終的に算出されるセンサ感度補正係数に誤差が生じる。
【００５４】
そこでこの問題を解決するため、第２の態様は、前記第１の態様と比較して２点のタイミングを異ならせている。
【００５５】
図６には第２の態様における２点のタイミングを示す。図から理解されるように、２点のタイミングのうち、先に筒内圧Ｐ１が計測される１点は、排気行程中（−５４０〜−３６０°）であって排気弁Ｖｅが開、吸気弁Ｖｉが閉であるタイミングである。また、後に筒内圧Ｐ２が計測される１点は、吸気行程中（−３６０〜−１８０°）であって排気弁が閉、吸気弁が開であるタイミングである。本実施形態では、先の１点及び後の１点ともに、筒内の空気流動の影響を無くすためできるだけ遅いタイミングとされ、先の１点については排気弁Ｖｅが閉じる直前のタイミング、後の１点については吸気下死点（−１８０°）のタイミングに設定されている。
【００５６】
先の１点について、排気弁Ｖｅが開、吸気弁Ｖｉが閉の場合だと、燃焼室３は排気系に開放されており、筒内圧は排気圧と平衡している。また、後の１点について、排気弁Ｖｅが閉、吸気弁Ｖｉが開の場合だと、燃焼室３は吸気系に開放されており、筒内圧は吸気圧と平衡している。エンジン運転状態が定常である限り、排気圧及び吸気圧は全気筒で同一とみなせるから、これら２点のタイミングを採用することにより、製造ばらつきの影響を無くし、同一条件で各気筒の筒内圧を計測することができる。
【００５７】
非基準気筒センサのセンサ感度補正係数は、以下の点を除き、前記第１の態様と同様の方法で算出される。即ち、この第２の態様では先後のタイミングの筒内圧Ｐ１，Ｐ２の大小関係が第１の態様と逆であるから、前記ステップＳ１０４に関する差圧Ｐｓｕｂの算出の際には、先のタイミングの筒内圧Ｐ１から後のタイミングの筒内圧Ｐ２を減じた値か、又は（Ｐ２−Ｐ１）の絶対値を差圧Ｐｓｕｂとする。
【００５８】
また、前記ステップＳ１０２に関連して、定常運転状態としては、スロットルバルブ開度が最小で吸気圧が低く、比較的大きな差圧が得られるアイドル運転状態であるのが好ましい。
【００５９】
吸気の排気系への吹き抜け或いは排気の吸気系への吹き返しを防止するため、吸排気弁がオーバーラップされない状態、或いはそうなるように可変バルブタイミング機構が制御されている状態で算出が実行される。これら吹き抜けや吹き返しがあると排気圧又は吸気圧と筒内圧との平衡状態が気筒間でばらつく可能性があるからである。
【００６０】
次に、非基準気筒センサのセンサ感度補正係数算出の第３の態様を説明する。
【００６１】
前記第２の態様において説明したように、センサ感度補正係数を精度良く算出するためには、吸気圧と排気圧との差圧ができるだけ大きいのが望ましい。前記第２の態様ではスロットルバルブ開度が最小で吸気圧が低くなるアイドル運転時に筒内圧計測を行うようにしたが、この第３の態様ではさらに差圧を大きくするため、フュエルカット時に筒内圧計測を行うようにする。即ち、フュエルカット時もスロットルバルブ開度が最小であり、しかもエンジン回転速度がアイドル回転速度よりも高速であることから、吸気圧はより低くなり、排気圧はより高くなる。よって、差圧をより大きくし、センサ感度補正係数算出精度を向上することが可能になる。
【００６２】
図７には、第３の態様の算出処理に関するフローチャートが示されている。この図示される処理は図４に示した第１の態様の処理と大略同様であり、以下相違点を中心に説明する。
【００６３】
この第３の態様において、ステップＳ２０１、Ｓ２０３〜Ｓ２０８は第１の態様のステップＳ１０１、Ｓ１０３〜Ｓ１０８と同様である。但しステップＳ２０４において、先後のタイミングの筒内圧Ｐ１，Ｐ２の大小関係が第１の態様と逆であるため、差圧Ｐｓｕｂが次式（６）’により算出されるようになっている。  
Ｐｓｕｂ（ｉ，ｊ）＝Ｐ１（ｉ，ｊ）−Ｐ２（ｉ，ｊ）・・・（６）’
【００６４】
第３の態様では、以下のステップＳ２０２が第１の態様のステップＳ１０２に置き換わる。即ち、ステップＳ２０２では、内燃機関の運転状態がフュエルカット状態か否かが判断される。本実施形態の制御装置において、ＥＣＵ２０は、アイドル回転速度よりも僅かに高い所定回転速度に比べて実際のエンジン回転速度が高く、且つアクセル開度が全閉（即ちスロットルバルブ開度が全閉）のとき、インジェクタ１２への通電を停止しフュエルカットを行う。従ってＥＣＵ２０は、自らがフュエルカットを行っているときフュエルカット状態であると判断する。
【００６５】
或いは、次のような方法でエンジンのフュエルカット状態を判断してもよい。即ち、図８には、燃焼が行われているとき（ファイアリング時）の筒内圧波形と、燃焼が行われていないとき（モータリング時、即ちこれはフュエルカット時に相当）の筒内圧波形とが示される。これから分かるように、圧縮上死点ＴＤＣ付近の波形は、ファイアリング時では圧縮上死点ＴＤＣの前から後にかけて徐々に圧力値が上昇しているのに対し、モータリング時では圧縮上死点ＴＤＣでピークとなりその前後で圧力値が上昇・下降している。
【００６６】
そこでこの特性を利用し、図９に示されるように、ＥＣＵ２０は、ある所定気筒（例えば基準気筒）において圧縮上死点ＴＤＣで計測した筒内圧力Ｐｃ（ＴＤＣ）と、圧縮上死点ＴＤＣからｄ１（°）前のタイミングで計測した筒内圧力Ｐｃ（ＴＤＣ−ｄ１）と、圧縮上死点からｄ２（°）後のタイミングで計測した筒内圧力Ｐｃ（ＴＤＣ＋ｄ２）との間に以下の関係が成立したとき、エンジンがフュエルカット状態であると判断する。なお、本実施形態ではｄ１＝ｄ２＝５（°）であるが、他の値にも設定可能である。  
（ＴＤＣ−ｄ１）＜Ｐｃ（ＴＤＣ）且つ（ＴＤＣ＋ｄ２）＜Ｐｃ（ＴＤＣ）
・・・（９）
【００６７】
また、図７に戻って、この第３の態様では、ステップＳ２０４とステップＳ２０５の間にステップＳ２０４Ａが追加されている。このステップＳ２０４Ａでは、ｊサイクル目の処理で得られた各気筒の差圧Ｐｓｕｂ（ｉ，ｊ）と、１サイクル目の処理で得られた各気筒の差圧Ｐｓｕｂ（ｉ，１）との差ΔＰｓｕｂ（ｉ，ｊ）＝（Ｐｓｕｂ（ｉ，ｊ）−Ｐｓｕｂ（ｉ，１）の絶対値が計算されると共に、この差ΔＰｓｕｂ（ｉ，ｊ）の絶対値が比較的小さな値である所定のしきい値εと比較される。
【００６８】
差ΔＰｓｕｂ（ｉ，ｊ）がしきい値εより小さい場合、筒内圧の差圧Ｐｓｕｂの変動が許容範囲内、即ちエンジンの運転状態が定常であるとして処理を続行し、ステップＳ２０５に進む。他方、差ΔＰｓｕｂ（ｉ，ｊ）がしきい値ε以上の場合、筒内圧の差圧Ｐｓｕｂの変動が許容範囲外、即ちエンジンの運転状態が定常でないとして処理を中止し、ステップＳ２０１に進む。このように本実施形態においては、筒内圧の差圧の差に基づいて内燃機関が定常運転状態にあるか否かを判断する手段が設けられている。
【００６９】
以上説明したように、このステップ１によれば、非基準気筒センサのセンサ感度を基準気筒センサのセンサ感度と等しくなるように設定することができ、言い換えれば、基準気筒センサのセンサ感度を基準として非基準気筒センサのセンサ感度のばらつきを無くすことができる。よって、気筒間でのセンサ感度のばらつきひいてはこれに基づく筒内圧計測値のばらつきを解消することが可能となる。
【００７０】
［ステップ２：基準気筒センサのセンサ感度補正係数の算出］
次に、前記ステップ２に関する基準気筒センサのセンサ感度補正係数の算出について説明する。この算出は、空燃比センサ１３により検出された排気空燃比を利用する点に主な特徴がある。また、ここでの算出処理は機関運転状態がアイドル運転状態のような定常運転状態のときに実行される。
【００７１】
図３を参照して、圧縮行程における圧縮が断熱圧縮であるとみなすと、圧縮行程中の２点のタイミングにおける筒内圧Ｐ１，Ｐ２の間には次式が成立する。  
（Ｐ１＋ΔＰ）Ｖ１κ＝（Ｐ２＋ΔＰ）Ｖ２κ    ・・・（１０）
ここで、筒内圧Ｐ１，Ｐ２は筒内圧センサ１５で検出されるような相対圧であり、ΔＰは絶対圧補正値である。なお吸気圧センサ１６によって検出される絶対圧としての吸気圧を用いることにより筒内圧センサ１５で検出される圧力値を絶対圧補正することが可能である。Ｖ１，Ｖ２はそれぞれ先後のタイミングにおける筒内容積で、クランク角θに基づいて算出可能である。
【００７２】
（１０）式を変形すると次式（１１）が得られ、圧縮行程中の筒内圧Ｐ１，Ｐ２（相対圧）の差圧が筒内圧Ｐ２の絶対圧に比例することが分かる。  
Ｐ２−Ｐ１＝（Ｐ２＋ΔＰ）{１−（Ｖ２／Ｖ１）κ｝    ・・・（１１）
【００７３】
ここで、基準気筒に関し、基準気筒センサのセンサ感度補正係数ｋ（ｉｘ）＝１．０（初期値）とすると、（１１）式左辺の筒内圧Ｐ１，Ｐ２（相対圧）の差圧は次式（１２）で表される（図２参照）。  
Ｐ２−Ｐ１＝ｋ（ｉｘ）・Ｇ・Ｅ２−ｋ（ｉｘ）・Ｇ・Ｅ１
＝ｋ（ｉｘ）・Ｇ・（Ｅ２−Ｅ１）            ・・・（１２）
【００７４】
一方、筒内空気量の充填率ＫＬ（％）が圧縮圧に比例することから、充填率ＫＬがＥＣＵ２０により筒内圧計測値の差圧（Ｐ２−Ｐ１）を用いて次式（１３）により算出される。  
ＫＬ＝ａ・（Ｐ２−Ｐ１）＋ｂ    ・・・（１３）
【００７５】
ａ，ｂは所定の定数で、実験等により予め求められる。充填率とは、筒内に実際に入っている空気量と筒内に入り得る最大空気量との比であり、例えば筒内に最大空気量が実際に入っていると充填率は１００％となる。ここで、吸排気弁のバルブタイミングにオーバーラップがあると残留ガスによる筒内圧上昇分を差し引く必要がある。オーバーラップがないとき、例えばアイドル運転時には、そのような残留ガスによる筒内圧上昇分がないので、かかる減算を省略できる。
【００７６】
ところで、本実施形態においては、実際の排気空燃比が所定の目標空燃比となるような燃料噴射量が予め設定されている。即ち、ＥＣＵ２０は、所定の目標空燃比ＡＦｔ（例えばストイキ空燃比＝１４．６）に実際の排気空燃比ＡＦを一致させるような燃料噴射量Ｑを、（１３）式により求められた充填率ＫＬに基づき、所定のマップ又は関数を用いて決定し、且つその燃料噴射量Ｑをインジェクタ１２から噴射させる。
【００７７】
そしてＥＣＵ２０は、このときに空燃比センサ１３により排気空燃比ＡＦを計測する。そして基準気筒の筒内圧センサのセンサ感度補正係数ｋ（ｉｘ）を次式（１４）により算出する。  
ｋ（ｉｘ）＝ＡＦ／ＡＦｔ    ・・・（１４）
【００７８】
そしてＥＣＵ２０は、基準気筒センサのセンサ感度補正係数ｋ（ｉｘ）を、既存の値（例えば初期値１．０）から（１４）式により算出された値へと変更する。
【００７９】
ここで一例を挙げて説明すると、例えば目標空燃比ＡＦｔがストイキ空燃比＝１４．６であると仮定して、計測された実際の排気空燃比ＡＦが目標空燃比ＡＦｔよりリッチ側（ＡＦ＜１４．６、例えばＡＦ＝１３）であった場合を考える。排気空燃比を１４．６にする燃料噴射量Ｑが噴射されているにも拘わらず実際の排気空燃比ＡＦが１３になっていることから、筒内空気量の実際量は予定量よりも少なかったことを意味する。よって（１３）式により、筒内圧の差圧（Ｐ２−Ｐ１）は予定値より少ない値を示していたことになる。従って（１２）式により、ｋ（ｉｘ）を初期値１．０より小さい値に変更すればよいことになる。一方、ＥＣＵ２０は、（１４）式により求めたセンサ感度補正係数ｋ（ｉｘ）＝１３／１４．６＝０．８９を初期値１．０と置き換える。こうすることによりセンサ感度補正係数ｋ（ｉｘ）はより小さな適切な値に変更されることになり、以降、正確な筒内圧計測値を得て正確な制御を実現することが可能になる。そしてこの例でいえば、排気空燃比を１４．６にする燃料噴射量Ｑを噴射したときに実際の排気空燃比ＡＦも１４．６にすることができる。
【００８０】
また、逆の場合、即ち計測された実際の排気空燃比ＡＦが目標空燃比ＡＦｔよりリーン側（ＡＦ＞１４．６、例えばＡＦ＝１６）であった場合を考える。排気空燃比を１４．６にする燃料噴射量Ｑが噴射されているにも拘わらず実際の排気空燃比ＡＦが１６になっていることから、筒内空気量の実際量は予定量よりも多かったことを意味する。よって（１３）式により、筒内圧の差圧（Ｐ２−Ｐ１）は予定値より多い値を示していたことになる。従って（１２）式により、ｋ（ｉｘ）を初期値１．０より大きい値に変更すればよいことになる。一方、ＥＣＵ２０は、（１４）式により求めたセンサ感度補正係数ｋ（ｉｘ）＝１６／１４．６＝１．１０を初期値１．０と置き換える。こうすることによりセンサ感度補正係数ｋ（ｉｘ）はより大きな適切な値に変更されることになり、以降、正確な筒内圧計測値を得て正確な制御を実現することが可能になる。そして、排気空燃比を１４．６にする燃料噴射量Ｑを噴射したときに実際の排気空燃比ＡＦも１４．６にすることができる。
【００８１】
以上説明したように、このステップ２にかかる基準気筒センサのセンサ感度補正係数の算出処理によれば、エンジン固体間における基準気筒センサのセンサ感度ばらつきを解消することができ、エンジン固体間でのセンサ感度ばらつきひいてはこれに基づく筒内圧計測値ばらつきの抑制に有利となる。また、同一の制御ロジックや制御データを共用して別々のエンジンを制御した場合に所望の性能を個々のエンジンで得るのに有利となる。
【００８２】
［ステップ３：非基準気筒センサのセンサ感度補正係数の補正］
次に、前記ステップ３に関する非基準気筒センサのセンサ感度補正係数の補正について説明する。ここでは単純に、ＥＣＵ２０が、（１４）式により求めた基準気筒センサのセンサ感度補正係数ｋ（ｉｘ）に基づき、ステップ１で算出・決定された非基準気筒センサのセンサ感度補正係数ｋ（ｉｙ）を次式（１５）の通り補正ないし更新する。  
ｋ（ｉｙ）＝ｋ（ｉｘ）・ｋ（ｉｙ）    ・・・（１５）
【００８３】
このステップ３により、別々のエンジンの全ての筒内圧センサ、特に非基準気筒の筒内圧センサのセンサ感度をも等しくすることができ、気筒間及びエンジン固体間でのセンサ感度ばらつきひいてはこれに基づく筒内圧計測値のばらつきを解消できる。
【００８４】
以上、本発明の好適な実施形態を詳細に述べたが、本発明の実施形態は他にも様々なものが考えられる。例えば上述の内燃機関１は火花点火式内燃機関（ガソリンエンジン）であったが、これに限られるものではなく、本発明は圧縮着火式内燃機関（ディーゼルエンジン）にも適用可能である。また、前記実施形態では検出された筒内圧に基づいて各制御量をいわば直接的に制御する例を示したが、本発明の適用はこれのみに限られず、従来より一般的なマップ制御方式を採用する制御装置にも本発明は適用可能である。前記実施形態では多気筒内燃機関の全気筒に筒内圧センサを設けたが、必ずしも全気筒とする必要はなく、二以上の気筒に筒内圧センサが設けられていれば本発明は適用可能である。
【００８５】
本発明の実施形態は前述の実施形態のみに限らず、特許請求の範囲によって規定される本発明の思想に包含されるあらゆる変形例や応用例、均等物が本発明に含まれる。従って本発明は、限定的に解釈されるべきではなく、本発明の思想の範囲内に帰属する他の任意の技術にも適用することが可能である。
【図面の簡単な説明】
【００８６】
【図１】本発明に係る筒内圧センサの校正装置を含む内燃機関の制御装置を概略的に示す構成図である。
【図２】筒内圧センサの出力特性を示すグラフである。
【図３】ある特定気筒のクランク角に対する筒内圧、吸気圧及び排気圧の変化と、ステップ１の第１の態様における２点のタイミングとを示すグラフである。
【図４】ステップ１の第１の態様の処理を示すフローチャートである。
【図５】ＥＣＵの記憶装置に各サイクル毎に記憶されていく各気筒の筒内圧の差圧Ｐｓｕｂ（ｉ，ｊ）と、これから求められる平均差圧Ｐｓｕｂａｖ（ｉ）とを示す図である。
【図６】ある特定気筒のクランク角に対する筒内圧、吸気圧及び排気圧の変化と、ステップ１の第１の態様における２点のタイミングとを示すグラフである。
【図７】ステップ１の第３の態様の処理を示すフローチャートである。
【図８】ファイアリング時とモータリング時との筒内圧波形を示すグラフである。
【図９】図８のモータリング時筒内圧波形のＴＤＣ付近の拡大図であって、フュエルカット判断を説明するための図である。
【符号の説明】
【００８７】
１  内燃機関
３  燃焼室
７  点火プラグ
１２  インジェクタ
１３  空燃比センサ
１５  筒内圧センサ
Ｖｉ  吸気弁
Ｖｅ  排気弁
Ｐ１，Ｐ２  ２点のタイミングにおける筒内圧
ｋ  センサ感度補正係数
Ｐｓｕｂ  筒内圧の差圧
Ｐｓｕｂａｖ  平均差圧
ｉ  気筒番号
ｉｘ  基準気筒の気筒番号
ｉｙ  基準気筒以外の気筒（非基準気筒）の気筒番号
ＡＦ  排気空燃比
ＡＦｔ  目標空燃比
Ｑ  燃料噴射量
ＫＬ  充填率
【図１】
2008025404.tif 000003
【図２】
2008025404.tif 000004
【図３】
2008025404.tif 000005
【図４】
2008025404.tif 000006
【図５】
2008025404.tif 000007
【図６】
2008025404.tif 000008
【図７】
2008025404.tif 000009
【図８】
2008025404.tif 000010
【図９】
2008025404.tif 000011